(57)【特許請求の範囲】
【請求項１】
走査電極と維持電極とブラックストライプとを有する前面基板と、データ電極と隔壁とを有する背面基板とを、前記走査電極および前記維持電極と前記データ電極とが立体交差するように対向配置して構成したプラズマディスプレイパネルであって、
前記走査電極と前記維持電極とは２本ずつ交互に形成され、
前記ブラックストライプは、隣り合う前記維持電極の間に形成された第１のブラックストライプと、隣り合う前記走査電極の間に形成された第２のブラックストライプとを有し、前記隔壁は、前記データ電極に平行に形成された縦隔壁と、高さが前記縦隔壁より低くかつ前記縦隔壁と交差するように形成された横隔壁とを有し、
前記第１のブラックストライプの位置で前記縦隔壁と前記前面基板とが当接し、
前記第１のブラックストライプは黒色層と白色層とで形成され、
前記第２のブラックストライプは黒色層で形成されたことを特徴とするプラズマディスプレイパネル。
【請求項２】
前記第１のブラックストライプはストライプ状の黒色層にストライプ状の白色層を積層した構造であることを特徴とする請求項１に記載のプラズマディスプレイパネル。
【請求項３】
前記第１のブラックストライプはストライプ状の黒色層に、前記縦隔壁と対向する位置に島状に白色層を積層した構造であることを特徴とする請求項１に記載のプラズマディスプレイパネル。
【発明の詳細な説明】
【技術分野】
【０００１】
本発明は、表示デバイス等に用いるＡＣ型のプラズマディスプレイパネルに関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板上には、１対の走査電極と維持電極とからなる表示電極対が互いに平行に複数対形成され、それら表示電極対を覆うように誘電体層および保護層が形成されている。背面基板上には、複数の平行なデータ電極と、それらを覆う誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面基板と背面基板とが対向配置されて密封され、内部の放電空間には放電ガスが封入されている。ここで表示電極対とデータ電極とが対向する部分に放電セルが形成される。このようなパネルの各放電セルの内部でガス放電により紫外線を発生させ、この紫外線で赤、緑、青各色の蛍光体を励起発光させてカラー表示を行っている。
【０００３】
上記の構成のパネルでは、前面基板と背面基板とを対向配置すると、前面基板の保護層と背面基板の隔壁とが当接するが、このとき隔壁に欠損が生じ、放電セルが正常に動作しなくなることがあった。このような問題を解決するために、隔壁の強度不足をなくし隔壁の欠損を抑える方法（例えば、特許文献１参照）や、隔壁の頂部に緩衝材を設ける方法（例えば、特許文献２参照）が開示されている。
【特許文献１】特開２０００−１３３３号公報
【特許文献２】特開２００３−２９７２３６号公報
【発明の開示】
【発明が解決しようとする課題】
【０００４】
しかしながら、上記方法においても隔壁の欠損を完全になくすことは難しかった。特に近年のパネルの大画面化、高精細度化にともない、パネル１枚あたりの欠損箇所の数が増える傾向にあり、さらにパネルまたはプラズマディスプレイ装置の搬送中に欠損が生じる確率も高まっている。そのため隔壁の欠損に対する早期の対策が望まれている。
【０００５】
本発明はこれらの課題に鑑みなされたものであり、隔壁の欠損を抑えるとともに、隔壁の欠損が生じた場合であっても放電セルの動作不良を生じることなく、高品質な画像を表示することのできるパネルを提供することを目的とする。
【課題を解決するための手段】
【０００６】
上記目的を達成するために本発明のパネルは、走査電極と維持電極とブラックストライプとを有する前面基板と、データ電極と隔壁とを有する背面基板とを、走査電極および維持電極とデータ電極とが立体交差するように対向配置して構成したパネルであって、走査電極と維持電極とは２本ずつ交互に形成され、ブラックストライプは、隣り合う維持電極の間に形成された第１のブラックストライプと、隣り合う走査電極の間に形成された第２のブラックストライプとを有し、隔壁は、データ電極に平行に形成された縦隔壁と、高さが縦隔壁より低くかつ縦隔壁と交差するように形成された横隔壁とを有し、第１のブラックストライプの位置で縦隔壁と前面基板とが当接し、第１のブラックストライプは黒色層と白色層で形成され、第２のブラックストライプは黒色層で形成されたことを特徴とする。この構成により、隔壁の欠損を抑えるとともに、隔壁の欠損が生じた場合であっても放電セルの動作不良を生じることなく、高品質な画像を表示することのできるパネルを提供することができる。
【０００７】
また本発明のパネルの第１のブラックストライプは、ストライプ状の黒色層にストライプ状の白色層を積層した構造であってもよい。
【０００８】
また本発明のパネルの第１のブラックストライプは、ストライプ状の黒色層に、縦隔壁と対向する位置に島状に白色層を積層した構造であってもよい。
【発明の効果】
【０００９】
本発明によれば、隔壁の欠損を抑えるとともに、隔壁の欠損が生じた場合であっても放電セルの動作不良を生じることなく、高品質な画像を表示することのできるパネルを提供することが可能となる。
【発明を実施するための最良の形態】
【００１０】
以下、本発明の実施の形態におけるパネルについて、図面を用いて説明する。
【００１１】
（実施の形態）
図１は、本発明の実施の形態におけるパネル１０の構造を示す分解斜視図である。パネル１０は、前面基板２１と背面基板３１を対向配置し、周辺部を封着部材（図示せず）を用いて封着することにより構成されており、内部に多数の放電セルが形成されている。
【００１２】
ガラス製の前面基板２１上には、１対の走査電極２２と維持電極２３とからなる表示電極対２４が互いに平行に複数対形成されている。走査電極２２と維持電極２３とは２本ずつ交互に形成されている。そして隣り合う維持電極２３の間には第１のブラックストライプ２５が形成され、隣り合う走査電極２２の間には第２のブラックストライプ２６が形成されている。従って前面基板２１上には、走査電極２２、維持電極２３、第１のブラックストライプ２５、維持電極２３、走査電極２２、第２のブラックストライプ２６、走査電極２２、維持電極２３、第１のブラックストライプ２５、維持電極２３、走査電極２２、第２のブラックストライプ２６、・・・となるように形成されている。
【００１３】
走査電極２２は、透明電極２２ａと不透明であるバス電極２２ｂとを有する。維持電極２３も同様に、透明電極２３ａとバス電極２３ｂとを有する。
【００１４】
透明電極２２ａ、２３ａは、前面基板２１上にＩＴＯ、ＳｎＯ２、ＺｎＯ等の導電性金属酸化物を帯状に形成したものである。バス電極２２ｂは、下層としての黒色層２２ｃと上層としての白色層２２ｄとを積層して形成され、バス電極２３ｂも同様に黒色層２３ｃと白色層２３ｄとを積層して形成されている。黒色層２２ｃ、２３ｃは、パネルを表示面側から見たときに表示電極対２４を黒く見せるために設けられており、黒色の材料を上述の透明電極２２ａ、２３ａのそれぞれの上にその透明電極よりも幅を狭く積層して形成したものである。そして白色層２２ｄ、２３ｄは、導電性を高めるために設けられており、黒色層２２ｃ、２３ｃのさらにその上にＡｇを含む導電性の材料を積層して形成したものである。
【００１５】
第１のブラックストライプ２５は、黒色層２５ｃと白色層２５ｄとを積層して形成されている。第２のブラックストライプ２６は、黒色層２６ｃで形成されており、白色層は積層していない。黒色層２５ｃ、２６ｃは、パネルを表示面側から見たときに第１のブラックストライプ２５、第２のブラックストライプ２６を黒く見せるために設けられており、黒色の材料を前面基板２１上に形成したものである。白色層２５ｄは第１のブラックストライプ２５の厚みを確保するために設けられており、本実施の形態においては白色層２２ｄ、２３ｄと同じ材料を用いて形成されている。
【００１６】
そしてそれら表示電極対２４および第１のブラックストライプ２５、第２のブラックストライプ２６を覆うように誘電体層２７が形成され、誘電体層２７上に保護層２８が形成されている。
【００１７】
ガラス製の背面基板３１上には、複数のデータ電極３２が互いに平行に形成されている。このデータ電極３２は、Ａｇを主成分とする導電性材料で形成されている。そして、データ電極３２を覆うように誘電体層３３が形成されている。
【００１８】
誘電体層３３の上には、データ電極３２に平行な縦隔壁３４ａと、縦隔壁３４ａと交差する横隔壁３４ｂとを有する井桁状の隔壁３４が形成されている。隣接するデータ電極３２のそれぞれに対応する放電セルの相互干渉を防ぐために、本実施の形態においては、縦隔壁３４ａの高さは横隔壁３４ｂの高さよりわずかに高く形成されている。誘電体層３３の表面と隔壁３４の側面とに赤、緑、青各色に発光する蛍光体層３５が形成されている。
【００１９】
そして、表示電極対２４とデータ電極３２とが立体交差するように前面基板２１と背面基板３１とが対向配置され、表示電極対２４とデータ電極３２とが対向する部分に放電セルが形成される。放電セルが形成された画像表示領域の外側の位置で、前面基板２１と背面基板３１とは低融点ガラスを用いて封着され、内部の放電空間には放電ガスが封入されている。
【００２０】
ここで、本実施の形態においては、縦隔壁３４ａの高さを横隔壁３４ｂの高さよりわずかに高く形成しているため、前面基板２１と背面基板３１を対向配置した際に、前面基板２１上の保護層２８と縦隔壁３４ａとが当接することになる。
【００２１】
図２は、本発明の実施の形態におけるパネル１０の各電極およびブラックストライプの配列図である。行方向に長いｎ本の走査電極２２およびｎ本の維持電極２３が２本ずつ交互に配列され、それらと交差するように列方向に長いｍ本のデータ電極３２が配列されている。そして、１対の走査電極２２および維持電極２３と１つのデータ電極３２とが交差した部分に放電セルが形成され、ｍ×ｎ個の放電セルで画像表示領域を形成している。そして上述したように、隣り合う維持電極２３の間には第１のブラックストライプ２５が形成され、隣り合う走査電極２２の間には第２のブラックストライプ２６が形成されている。従って前面基板２１上には、走査電極２２、維持電極２３、第１のブラックストライプ２５、維持電極２３、走査電極２２、第２のブラックストライプ２６、走査電極２２、維持電極２３、第１のブラックストライプ２５、維持電極２３、走査電極２２、第２のブラックストライプ２６、・・・となるように形成されている。
【００２２】
次に、パネル１０の製造方法について説明する。図３は、本発明の実施の形態におけるパネル１０の前面基板２１の製造方法を示す図である。
【００２３】
まず、蒸着法またはスパッタリング法等の公知技術を用いて、前面基板２１の表面上に、厚さ約１２００ÅのＩＴＯ（Ｉｎｄｉｕｍ  Ｔｉｎ  Ｏｘｉｄｅ）またはＳｎＯ２等の導電体材料を帯状に複数列形成することにより透明電極２２ａ、２３ａを形成する（図３（ａ））。
【００２４】
次に、スクリーン印刷法、フォトリソグラフィー法等の公知技術を用いて、この透明電極２２ａ、２３ａ上に膜厚が約５μｍの黒色層２２ｃ、２３ｃの前駆体を形成する。このとき、第１のブラックストライプ２５および第２のブラックストライプ２６の黒色層２５ｃ、２６ｃの前駆体も同時に形成する。そしてその上に、Ａｇからなる膜厚が約７μｍの白色層２２ｄ、２３ｄの前駆体を形成する。このとき、第１のブラックストライプ２５の白色層２５ｄの前駆体も同時に形成する（図３（ｂ））。
【００２５】
なお、図３（ｂ）において、前面基板２１および透明電極２２ａ、２３ａ以外の部材は上記のように前駆体であるが、各前駆体を指す符号として、各前駆体を焼結して形成される部材を指す符号を用いている。
【００２６】
このような前駆体が形成された前面基板２１を、ピーク温度５５０〜６００℃で焼成することにより、それぞれの黒色層および白色層の前駆体が焼結され、走査電極２２および維持電極２３のバス電極２２ｂ、２３ｂ、および第１のブラックストライプ２５および第２のブラックストライプ２６が形成される。焼結後の黒色層の厚みは約１μｍ、白色層の厚みは約５μｍである。従って、バス電極２２ｂ、２３ｂ、および第１のブラックストライプ２５の厚みは約６μｍ、第２のブラックストライプ２６の厚みは約１μｍである（図３（ｃ））。
【００２７】
そして、走査電極２２、維持電極２３、第１のブラックストライプ２５および第２のブラックストライプ２６が生成された前面基板２１上にダイコート印刷法等の公知技術により誘電体層２７の前駆体を形成する。この誘電体層２７の前駆体を焼結することによって厚さ約３９μｍの誘電体層２７が生成される。さらにその上に、スパッタリング法等の公知技術により厚さ約８０００Åの保護層２８が生成される（図３（ｄ））。
【００２８】
このようにして、バス電極２２ｂ、２３ｂを形成するプロセスに新たなプロセスを追加することなく第１のブラックストライプ２５および第２のブラックストライプ２６を形成することができる。
【００２９】
こうして形成された誘電体層２７および保護層２８の表面は完全に平坦ではなく、凹凸が生じている。透明電極２２ａ、２３ａは非常に薄く、誘電体層２７および保護層２８の表面の形状にはほとんど影響を与えないが、黒色層および白色層は比較的厚いために、誘電体層２７および保護層２８の表面に凹凸を生じる。本実施の形態においては、表示電極対２４をなす走査電極２２と維持電極２３との中間の位置Ａに比較して保護層２８の表面が、バス電極２２ｂ、２３ｂ、および第１のブラックストライプ２５の位置で約２μｍ、第２のブラックストライプ２６の位置で約０．１μｍ、高くなることが確認できている。
【００３０】
次に背面基板３１の製造方法について説明する。図４は、本発明の実施の形態におけるパネル１０の背面基板３１の製造方法を示す図である。
【００３１】
まず、スクリーン印刷法、フォトリソグラフィー法等の公知技術を用いて、背面基板３１上に、Ａｇを主成分とする導電体材料を一定間隔でストライプ状に塗布し、データ電極３２の前駆体を形成する。その後、背面基板３１を焼成して、膜厚が約２．５μｍのデータ電極３２を形成する（図４（ａ））。
【００３２】
続いて、データ電極３２を形成した背面基板３１上に、低融点ガラスのペーストを塗布し、この背面基板３１を焼成して厚さ約１０μｍの誘電体層３３を形成する（図４（ｂ））。
【００３３】
続いて、誘電体層３３を形成した背面基板３１上に感光性ガラスペーストを膜厚が約２７０μｍになるように塗布した後乾燥し、横隔壁３４ｂの形状に露光する。そしてさらにその上に感光性ガラスペーストを膜厚が約３７μｍになるように塗布した後乾燥し、今度は縦隔壁３４ａの形状に露光する。その後エッチングし、焼成することにより高さ約１２０μｍの縦隔壁３４ａと高さ約１０４μｍの横隔壁３４ｂとを持つ隔壁３４を形成する（図４（ｃ））。
【００３４】
そして、隔壁３４の壁面および誘電体層３３の表面に、赤色蛍光体、緑色蛍光体、青色蛍光体のいずれかを含む蛍光体インクを塗布する。その後乾燥、焼成を行い各色に発光する蛍光体層３５を形成する（図４（ｄ））。
【００３５】
図５は、本発明の実施の形態におけるパネル１０の断面図であり、データ電極３２に平行な面での切断面の拡大図である。なお、透明電極２２ａ、２３ａは非常に薄く、また保護層２８も非常に薄いため、図５では、透明電極２２ａ、２３ａおよび保護層２８を省略した。また図面を見やすくするため、蛍光体層３５も省略した。
【００３６】
上述したように、前面基板２１と背面基板３１を対向配置した際に、誘電体層２７上の保護層２８と縦隔壁３４ａとが当接するが、本実施の形態においては、図５に示したように、縦隔壁３４ａは第１のブラックストライプ２５の位置で当接している。
【００３７】
この位置で当接する理由は、第１のブラックストライプ２５が、黒色層２５ｃと白色層２５ｄとを積層して形成されており、誘電体層２７および保護層２８の表面がこの位置で高くなっているためである。もちろんバス電極２２ｂ、２３ｂも黒色層２２ｃ、２３ｃと白色層２２ｄ、２３ｄとを積層して形成されているので、バス電極２２ｂ、２３ｂの位置でも当接する可能性はある。しかし、第１のブラックストライプ２５の位置での縦隔壁３４ａの高さがバス電極２２ｂ、２３ｂの位置での縦隔壁３４ａの高さよりも高くなる傾向がある。そのため、第１のブラックストライプ２５を黒色層２５ｃと白色層２５ｄとを積層して形成することにより、縦隔壁３４ａは、おもに第１のブラックストライプ２５の位置で当接することになる。
【００３８】
もし仮に、第１のブラックストライプ２５が黒色層２５ｃだけで形成されていたと仮定すると、バス電極２２ｂ、２３ｂの位置で縦隔壁３４ａが保護層２８と当接することになる。そしてこの位置で隔壁３４の欠損が発生すると、対応する放電セル内部に隔壁３４の破片が飛散するとともに蛍光体層３５もはがれて蛍光体が落下し、放電セルが正常に動作せず発光しなくなる。
【００３９】
しかしながら本実施の形態においては、第１のブラックストライプ２５が黒色層２５ｃと白色層２５ｄとを積層して形成されているので、第１のブラックストライプ２５の位置で縦隔壁３４ａが保護層２８と当接することになる。この位置は縦隔壁３４ａと横隔壁３４ｂとの交点であり隔壁３４の欠損が発生しにくい位置である。加えて、この位置は縦方向に隣接する２つの放電セルの隙間であるので、この位置でもし隔壁３４の欠損が発生しても、放電セル内部に隔壁３４の破片が飛散する可能性は低く、また放電セル内部に蛍光体が落下する可能性も低いため、放電セルが正常に動作しなくなる可能性は低い。
【００４０】
また、白色層はＡｇを含む導電性の材料が用いられているため、不用意に白色層を設けるとフローティング電極として働き、放電セルの正常な動作を阻害する可能性がある。しかしながら本実施の形態においては、走査電極２２と維持電極２３とを２本ずつ交互に並べ、同一の駆動電圧を印加する維持電極２３の間に形成された第１のブラックストライプ２５にのみ白色層２５ｄが形成され、異なる駆動電圧を印加する走査電極２２の間に設けられた第２のブラックストライプ２６には白色層が形成されていない。従って、黒色層２５ｃと白色層２５ｄとを積層して形成された第１のブラックストライプ２５が放電セルの正常な動作を阻害する恐れはない。また第２のブラックストライプ２６の位置では縦隔壁３４ａと保護層２８とは当接しないが、第１のブラックストライプ２５の位置で縦隔壁３４ａと保護層２８とが当接するため、バス電極２２ｂ、２３ｂの位置で当接する可能性が高まることはない。
【００４１】
なお本実施の形態においては、第１のブラックストライプ２５がストライプ状の黒色層２５ｃにストライプ状の白色層２５ｄを積層した構造であるとして説明した。しかし白色層２５ｄは第１のブラックストライプ２５の厚みを確保し、隣接する放電セルの間で保護層２８と縦隔壁３４ａとを当接させるために設けられている。そのため白色層２５ｄは必ずしもストライプ状に形成されていなくてもよく、ストライプ状の黒色層２５ｃに、縦隔壁３４ａと対向する位置に、例えば矩形の白色層を積層した構造であってもよい。すなわちストライプ状の黒色層２５ｃに、白色層を島状に形成した構造であってもよい。
【００４２】
なお、本実施の形態において用いた具体的な各数値は、単に一例を挙げたに過ぎず、パネルの特性や仕様等に合わせて、適宜最適な値に設定することが望ましい。
【産業上の利用可能性】
【００４３】
本発明は、隔壁の欠損を抑えるとともに、隔壁の欠損が生じた場合であっても放電セルの動作不良を生じることなく、パネルとして有用である。
【図面の簡単な説明】
【００４４】
【図１】本発明の実施の形態におけるパネルの構造を示す分解斜視図
【図２】同パネルの各電極およびブラックストライプの配列図
【図３】同パネルの前面基板の製造方法を示す図
【図４】同パネルの背面基板の製造方法を示す図
【図５】同パネルの断面図
【符号の説明】
【００４５】
１０    パネル
２１    前面基板
２２    走査電極
２２ａ，２３ａ    透明電極
２２ｂ，２３ｂ    バス電極
２２ｃ，２３ｃ，２５ｃ，２６ｃ    黒色層
２２ｄ，２３ｄ，２５ｄ    白色層
２３    維持電極
２４    表示電極対
２５    第１のブラックストライプ
２６    第２のブラックストライプ
２７    誘電体層
２８    保護層
３１    背面基板
３２    データ電極
３３    誘電体層
３４    隔壁
３４ａ    縦隔壁
３４ｂ    横隔壁
３５    蛍光体層
【図１】
0004962323.tif 000002
【図２】
0004962323.tif 000003
【図３】
0004962323.tif 000004
【図４】
0004962323.tif 000005
【図５】
0004962323.tif 000006